(57)【要約】【課題】簡易な構成であり、組み立て容易であり、パネルへの表出面積を小さいものとする光リセプタクルを提供する。【解決手段】光リセプタクル１００は光プラグ１と接続する。ソケットハウジング２は光プラグ１と嵌合する開口部２０を備える。シャッター３は、回転軸３Ａ・３Ｂを縁部に有し、開口部２０を開閉するように回転軸３Ａ・３Ｂがソケットハウジング２内に配置される。カバーハウジング５は、ソケットハウジング２の上面と背面を覆う横設片５１と垂設片５２で構成され、横設片５１は延出部５Ａ・５Ｂを有し、ねじりコイルばね４を回転自在に保持する。ソケットハウジング２にカバーハウジング５を装着した状態では、延出部５Ａ・５Ｂは回転軸３Ａ・３Ｂを回転自在に保持し、ねじりコイルばね４はシャッター３が開口部２０を閉じる方向に力を付勢する。【選択図】      図２
2004354672.tif 000002
【特許請求の範囲】
【請求項１】
光プラグと接続するための光リセプタクルであって、
前記光プラグと嵌合する開口部を備えているソケットハウジングと、
前記ソケットハウジングの開口部の反対側における上面と背面とを覆う横設片と垂設片とがＬ字状に結合されたもので構成されており、当該横設片はその開放端において当該横設片の伸長方向に延出している一対の延出部を有しているとともに、当該延出部が前記開口部に向いた状態で前記ソケットハウジングに備えられている収容部に嵌合されるカバーハウジングと、
相反するように一対の回転軸を縁部に有しており、前記開口部を開閉するように前記一対の延出部と当該開口部の内部との間で当該回転軸が回転自在に保持されているシャッターと、
前記横設片の当該開放端にコイルが回転自在に保持されているねじりコイルばねと、を備えており、
前記ソケットハウジングに前記カバーハウジングを装着した状態では、前記ねじりコイルばねは前記シャッターが前記開口部を閉じる方向に力を付勢していることを特徴とする光リセプタクル。
【請求項２】
請求項１記載の光リセプタクルにおいて、
前記ソケットハウジングにおける開口部の反対面に光学素子を配置しており、前記垂設片と前記ソケットハウジングで当該光学素子を挟持していることを特徴とする光リセプタクル。
【請求項３】
請求項１又は２のいずれかに記載の光リセプタクルにおいて、
前記カバーハウジングの横設片は対向する一対の突起を前記開放端の下面に備えており、当該一対の突起で前記ねじりコイルばねのコイルが圧縮状態で保持されていることを特徴とする光リセプタクル。
【請求項４】
請求項１から３のいずれかに記載の光リセプタクルにおいて、
前記ソケットハウジングに前記カバーハウジングを装着した状態では、前記ねじりコイルばねのコイルの中心は前記シャッターの回転中心より前記開口部の奥側上方に位置していることを特徴とする光リセプタクル。
【請求項５】
請求項１から４のいずれかに記載の光リセプタクルにおいて、
前記光プラグが前記開口部に嵌合された状態において、当該開口部の内部に開かれた前記シャッターを格納する収容空間が前記横設片の下面に形成されていることを特徴とする光リセプタクル。
【請求項６】
請求項５記載の光リセプタクルにおいて、
前記ねじりコイルばねの一端の腕は前記収容空間に当接しており、前記ねじりコイルばねの他端の腕は当該開口部の内部から前記シャッターに当接していることを特徴とする光リセプタクル。
【請求項７】
請求項１から６のいずれかに記載の光リセプタクルにおいて、
前記開口部が形成される矩形枠体は前記ソケットハウジングの前面に突出しており、当該光リセプタクルを取り付けるパネルに当該矩形枠体が表出されることを特徴とする光リセプタクル。
【請求項８】
請求項７記載の光リセプタクルにおいて、
前記矩形枠体の上下幅は８．２ｍｍであることを特徴とする光リセプタクル。
【発明の詳細な説明】
【０００１】
【発明の属する技術分野】
本発明は、光学素子が内包されており、光ファイバ用の光プラグが機械的に結合されることによって、光ファイバと光学的接続を可能とする光リセプタクルに関する。
【０００２】
【従来の技術】
ＤＶＤ（Ｄｉｇｉｔａｌ  Ｖｅｒｓａｔｉｌｅ  Ｄｉｓｃ）、ＴＶ、ＳＴＢ（Ｓｅｔ  Ｔｏｐ  Ｂｏｘ）、ＣＤ（Ｃｏｍｐａｃｔ  Ｄｉｓｃ）、ＭＤ（Ｍｉｎｉ  Ｄｉｓｃ）等のデジタル・オーディオ機器においては、電気的ノイズに強い光ファイバがオーディオの録音と再生に適していることから、光ファイバ方式による伝送方式が普及している。
【０００３】
デジタル・オーディオ用光コネクタとしては、光ファイバの端末に取り付けられる光角型プラグと、当該光角型プラグに接続され、前述のＡＶ機器等のパネルに入出力端子として実装される光リセプタクルがある。
【０００４】
前述の光リセプタクルは光プラグを接続していないときは、光リセプタクルにおける光プラグの嵌合開口部にキャップを被せて保護している。このように保護しておかないと、光リセプタクルは光を介して信号を伝達するため、塵芥がこの嵌合開口部内に付着すると、嵌合開口部の奥側に配置されている光学素子の光通路を遮り、光信号が正しく伝送できなくなるからである。
【０００５】
一般的には、この光リセプタクルを装備したＡＶ機器等は、嵌合開口部を密閉するキャップが出荷時から装着されており、光リセプタクルに光プラグを接続していないときは、光リセプタクルにこのキャップを嵌合して、塵芥の進入を防止している。
【０００６】
前述のキャップは、この光リセプタクルとは別体であり、未使用時に、このキャップを取り付けることを忘れてしまうことや、紛失してしまうことがあった。このようなことを防止するために、光リセプタクルの嵌合開口部に開閉式のシャッターを設ける光リセプタクルが開示されている（例えば、特許文献１）。
【０００７】
【特許文献１】
特開２０００−１３１５６４号公報
【０００８】
【発明が解決しようとする課題】
しかしながら、前述のシャッター付き光リセプタクルにおいては、このシャッターの回転軸に別途軸部を用意しており、この軸部にねじりコイルばねを巻装しているため、光リセプタクルの嵌合開口部を大きくしている。つまり、部品点数も多く、この光リセプタクルが取り付けられるパネルの表出面積を大きいものとしている。
【０００９】
本発明は、上述した課題を解決すべく、従来と同様に光リセプタクルの嵌合開口部に開閉式のシャッターを設けるものの、より簡易な構成であり、組み立て容易であり、パネルへの表出面積をより小さいものとする光リセプタクルを提供することを目的とする。
【００１０】
【課題を解決するための手段】
発明者は、上記目的を満たすため、以下のような新たな光リセプタクルを発明した。
【００１１】
（１）  光プラグと接続するための光リセプタクルであって、前記光プラグと嵌合する開口部を備えているソケットハウジングと、前記ソケットハウジングの開口部の反対側における上面と背面とを覆う横設片と垂設片とがＬ字状に結合されたもので構成されており、当該横設片はその開放端において当該横設片の伸長方向に延出している一対の延出部を有しているとともに、当該延出部が前記開口部に向いた状態で前記ソケットハウジングに備えられている収容部に嵌合されるカバーハウジングと、相反するように一対の回転軸を縁部に有しており、前記開口部を開閉するように前記一対の延出部と当該開口部の内部との間で当該回転軸が回転自在に保持されているシャッターと、前記横設片の当該開放端にコイルが回転自在に保持されているねじりコイルばねと、を備えており、前記ソケットハウジングに前記カバーハウジングを装着した状態では、前記ねじりコイルばねは前記シャッターが前記開口部を閉じる方向に力を付勢していることを特徴とする光リセプタクル。
【００１２】
（２）  （１）記載の光リセプタクルにおいて、前記ソケットハウジングにおける開口部の反対面に光学素子を配置しており、前記垂設片と前記ソケットハウジングで当該光学素子を挟持していることを特徴とする光リセプタクル。
【００１３】
（３）  （１）又は（２）のいずれかに記載の光リセプタクルにおいて、前記カバーハウジングの横設片は対向する一対の突起を前記開放端の下面に備えており、当該一対の突起で前記ねじりコイルばねのコイルが圧縮状態で保持されていることを特徴とする光リセプタクル。
【００１４】
（４）  （１）から（３）のいずれかに記載の光リセプタクルにおいて、前記ソケットハウジングに前記カバーハウジングを装着した状態では、前記ねじりコイルばねのコイルの中心は前記シャッターの回転中心より前記開口部の奥側上方に位置していることを特徴とする光リセプタクル。
【００１５】
（５）  （１）から（４）のいずれかに記載の光リセプタクルにおいて、前記光プラグが前記開口部に嵌合された状態において、当該開口部の内部に開かれた前記シャッターを格納する収容空間が前記横設片の下面に形成されていることを特徴とする光リセプタクル。
【００１６】
（６）  （５）記載の光リセプタクルにおいて、前記ねじりコイルばねの一端の腕は前記収容空間に当接しており、前記ねじりコイルばねの他端の腕は当該開口部の内部から前記シャッターに当接していることを特徴とする光リセプタクル。
【００１７】
（７）  （１）から（６）のいずれかに記載の光リセプタクルにおいて、前記開口部が形成される矩形枠体は前記ソケットハウジングの前面に突出しており、当該光リセプタクルを取り付けるパネルに当該矩形枠体が表出されることを特徴とする光リセプタクル。
【００１８】
（８）  （７）記載の光リセプタクルにおいて、前記矩形枠体の上下幅は８．２ｍｍであることを特徴とする光リセプタクル。
【００１９】
（１）記載の発明によれば、「光プラグと接続するための光リセプタクルであって、前記光プラグと嵌合する開口部を備えているソケットハウジングと、前記ソケットハウジングの開口部の反対側における上面と背面とを覆う横設片と垂設片とがＬ字状に結合されたもので構成されており、当該横設片はその開放端において当該横設片の伸長方向に延出している一対の延出部を有しているとともに、当該延出部が前記開口部に向いた状態で前記ソケットハウジングに備えられている収容部に嵌合されるカバーハウジングと、相反するように一対の回転軸を縁部に有しており、前記開口部を開閉するように前記一対の延出部と当該開口部の内部との間で当該回転軸が回転自在に保持されているシャッターと、前記横設片の当該開放端にコイルが回転自在に保持されているねじりコイルばねと、を備えており、前記ソケットハウジングに前記カバーハウジングを装着した状態では、前記ねじりコイルばねは前記シャッターが前記開口部を閉じる方向に力を付勢している」ことを特徴としてよい。
【００２０】
この光プラグは、日本電子機械工業会規格（以下、ＥＩＡＪという）に規定される光角型プラグであってよく、この光プラグがこの発明による光リセプタクルと機械的に結合することによって、この光プラグとこの光リセプタクルが光学的に結合可能となる。
【００２１】
この光プラグは、端部に光ファイバを保持する概六角形の突出部を有しており、この突出部がソケットハウジングの開口部に挿入されて嵌合する。この突出部は左右側面に相反するように柱状の円弧突起を形成しており、一方、ソケットハウジングの開口部はこの柱状円弧突起と嵌合する円弧溝を形成しており、当該円弧溝に案内されて、光ファイバとソケットハウジングに内包されている光学素子の光軸が一致するとしてよい。
【００２２】
カバーハウジングは横設片と垂設片でＬ字状に構成されており、ソケットハウジングの開口部の反対側からカバーハウジングが挿入されて、ソケットハウジングの開口部の反対側における上面と背面が覆われる。そして、ソケットハウジングとカバーハウジングで光学素子を遮蔽することによって、外乱としての光の侵入を防止する。
【００２３】
シャッターは予めソケットハウジングの開口部を閉鎖するように組み込まれており、ソケットハウジングにカバーハウジングが組み立てられることにより、ソケットハウジングとカバーハウジングに設けられる一対の延出部端面でシャッターを回転自在に保持している。
【００２４】
ねじりコイルばねは、そのコイルが予めカバーハウジングに回転自在に保持されており、カバーハウジングとソケットハウジングが組み立てられた状態では、ねじりコイルばねは、シャッターが開口部を閉じる方向に力を付勢している。
【００２５】
この光プラグの突出部をソケットハウジングの開口部に装着すると、突出部に押されて、開口部の前面を閉じていたシャッターは回転軸を中心に垂直状態から水平状態に回転して開き、光プラグと光リセプタクルの結合を可能にする。
【００２６】
光プラグをこの光リセプタクルから抜くと、シャッターはねじりコイルばねの付勢力で開口部前面を塞ぐように復帰し、光リセプタクルへの塵芥の侵入を防止する。
【００２７】
これらソケットハウジング、カバーハウジング及びシャッターは、ＰＰＳ（ｐｏｌｙｐｈｅｎｙｌｅｎｅ  ｓｕｌｆｉｄｅ）又は、ＰＢＴ（ｐｏｌｙｂｕｔｙｌｅｎｅ  ｔｅｒｅｐｈｔｈａｌａｔｅ）等の合成樹脂で成形されてよい。
【００２８】
このような光リセプタクルは、シャッターに回転軸が一体で成形されており、従来のようにシャッターと回転軸（軸部）を別部品としてソケットハウジングに組み立てなくて済むので、構成品が少なくなり、組み立ても容易になる。さらに、従来のように軸部にねじりコイルばねを巻装していないので、光リセプタクルが実装されるパネルへの表出面積をより小さくすることが可能になった。
【００２９】
（２）記載の発明によれば、「（１）記載の光リセプタクルにおいて、前記ソケットハウジングにおける開口部の反対面に光学素子を配置しており、前記垂設片と前記ソケットハウジングで当該光学素子を挟持している」ことを特徴としてよい。
【００３０】
ソケットハウジングにおける開口部の反対面は、光学素子を配置するための光学素子の外形形状にみ合った素子取り付け溝が形成されている。光学素子がこの素子取り付け溝に配置されて光軸が安定するとしてよい。
【００３１】
垂設片とソケットハウジングで当該光学素子が挟持された光リセプタクルは、その底面から光学素子のリードが突出しており、このリードが光リセプタクルの底面に取り付けられるプリント基板のスルーホールにはんだで固定される。垂設片とソケットハウジングで光学素子を挟持することにより、プリント基板への実装が容易であり光学素子の位置が動かないという効果がある。
【００３２】
なお、光学素子は電気信号を光信号に変換して出力する発光素子であってよく、入力される光信号を電気信号に変換する受光素子であってよく、発光素子と受光素子が一体になった受発光素子であってもよい。
【００３３】
（３）記載の発明によれば「（１）又は（２）のいずれかに記載の光リセプタクルにおいて、前記カバーハウジングの横設片は対向する一対の突起を前記開放端の下面に備えており、当該一対の突起で前記ねじりコイルばねのコイルが圧縮状態で保持されている」ことを特徴としてよい。
【００３４】
カバーハウジングの横設片は、ねじりコイルばねのコイル内径が入る一対の円柱状の突起を前記開放端の下面に備えている。ねじりコイルばねが横設片に取り付けられた状態では、ねじりコイルばねの一端の腕は横設片の下面に当接可能状態である。
【００３５】
このように、予め、ねじりコイルばねをカバーハウジングに取り付けておくことにより組み立てが容易となる。ねじりコイルばね付きカバーハウジングをソケットハウジングに組み立てた状態では、ねじりコイルばねの他端の腕は開口部の内部から前記シャッターに当接している。
【００３６】
（４）記載の発明によれば、「（１）から（３）のいずれかに記載の光リセプタクルにおいて、前記ソケットハウジングに前記カバーハウジングを装着した状態では、前記ねじりコイルばねのコイルの中心は前記シャッターの回転中心より前記開口部の奥側上方に位置している」ことを特徴としてよい。
【００３７】
（５）記載の発明によれば、「（１）から（４）のいずれかに記載の光リセプタクルにおいて、前記光プラグが前記開口部に嵌合された状態において、当該開口部の内部に開かれた前記シャッターを格納する収容空間が前記横設片の下面に形成されている」ことを特徴としてよい。
【００３８】
この光プラグの突出部をソケットハウジングの開口部に装着すると、突出部に押されて、シャッターは回転軸を中心に垂直状態から水平状態に回転する。そして、ねじりコイルばねのコイルの中心はシャッターの回転中心より開口部の奥側上方に位置しているので、このシャッターが水平状態以上に回転することを可能にしている。このような構造は、開口部が形成される矩形枠体の上下幅を小さくすることを可能する。
【００３９】
さらに、開口部の内部に開かれたシャッターを格納する収容空間が開口部内に連通して横設片の下面に形成されているので、このシャッターが水平状態以上に回転することを可能にしている。このような構造は、矩形枠体の上下幅を小さくすることを可能する。
【００４０】
この好適な様態の光リセプタクルにおいて、開口部が形成される矩形枠体はソケットハウジングの前面に突出しており、当該光リセプタクルを取り付けるパネルに当該矩形枠体が表出しており、矩形枠体の上下幅は８．２ｍｍまで小さくすることができる。
【００４１】
【発明の実施の形態】
以下に、本発明の実施の形態について図面に基づいて説明する。
【００４２】
図１は、本発明における一実施の形態による光リセプタクル１００の構成を示す斜視分解組立図である。図１における実施の形態では、ソケットハウジング２は、ＥＩＡＪで規定される角型の光プラグ１と嵌合する開口部２０を備えている。また、ソケットハウジング２は、カバーハウジング５が嵌合する収容部２５を開口部２０の反対側に備えている。
【００４３】
シャッター３は相反するように一対の回転軸３Ａ及び３Ｂを縁部に有しており、シャッター３は、開口部２０を開閉するように回転軸３Ａ及び３Ｂが回転自在にソケットハウジング２内に配置される。
【００４４】
カバーハウジング５は、ソケットハウジング２の開口部２０の反対側における上面と背面を覆う横設片５１と垂設片５２でＬ字状に構成されている。横設片５１はその開放端において当該横設片５１の伸長方向に延出している一対の延出部５Ａ及び５Ｂを有している。
【００４５】
図１において、ソケットハウジング２の収容部２５に、延出部５Ａ及び５Ｂが開口部２０に向いた状態で嵌合する。ソケットハウジング２にカバーハウジング５を嵌合した状態では、一対の延出部５Ａ及び５Ｂ端面はシャッター３の回転軸３Ａ及び３Ｂを回転自在に保持する。
【００４６】
また、カバーハウジング５の横設片５１は対向する一対の突起５Ｃ及び５Ｄを前記開放端の下面に備えており、当該一対の突起５Ｃ及び５Ｄにねじりコイルばね４のコイル４１が圧縮状態で保持されることにより、ねじりコイルばね４のコイル４１が回転自在に保持される。
【００４７】
図１の実施形態において、ソケットハウジング２における開口部２０の反対面に光学素子６を配置しており、垂設片５２とソケットハウジング２で光学素子６を挟持する。図１の実施形態において、光学素子６は、電気信号を光信号に変換して出力する発光素子（発光ダイオード）であるが、入力される光信号を電気信号に変換する受光素子（フォトトランジスタ）であってよく、発光素子と受光素子が一体になった受発光素子であってもよい。
【００４８】
図２は、図１における光リセプタクルの組立図である。図２（ａ）はこの発明による光リセプタクルの正面図、図２（ｂ）は図２（ａ）の右側面図、図２（ｃ）は図２（ａ）のＸ−Ｘ断面図である。
【００４９】
図２（ｃ）に示されるように、ソケットハウジング２にカバーハウジング５を装着した状態では、一対の延出部５Ａ及び５Ｂ端面は、シャッター３の回転軸３Ａ及び３Ｂを回転自在に保持している。ねじりコイルばね４における一端の腕４２は、その先端が横設片５１の下面に当接しており、ねじりコイルばね４の他端の腕４３は、その先端部が開口部２０の内部からシャッター３の裏面に当接している。
【００５０】
図２（ｃ）に示される状態においては、ねじりコイルばね４はシャッター３が開口部２０の前面を閉じる力を付勢している。光プラグ１（図１参照）が開口部２０に挿入されることにより、シャッター３は垂直状態から図２の２点鎖線で示されるように水平状態に回転し、光プラグ１と光リセプタクル１００の結合を可能とする。
【００５１】
光プラグ１を光リセプタクル１００から抜くと、シャッター３はねじりコイルばね４の付勢力で開口部２０の前面を塞ぐように復帰し、光リセプタクル１００への塵芥の侵入を防止する。
【００５２】
図２の実施形態において、ねじりコイルばね４のコイル４１（図１参照）の中心はシャッター３の回転中心より開口部２０の奥側上方に位置しているので、このシャッター３が水平状態以上に回転することを可能にしている。
【００５３】
さらに、図２の実施形態において、開口部２０の内部に開かれたシャッター３を格納する収容空間が開口部２０内に連通して横設片５１の下面に形成されているので、このシャッター３が水平状態以上に回転することを可能にしている。
【００５４】
開口部２０が形成される矩形枠体２１は、ソケットハウジング２の前面に突出しており、光リセプタクル１００を取り付ける図示されないパネルに矩形枠体２１が表出される。前述の構造はこの矩形枠体２１の上下幅を従来に比較して小さくすることを可能とするものである。
【００５５】
次に、この発明による光リセプタクルに接続される光プラグの実施形態を図３により説明する。図３（ａ）は光プラグ１の側面図であり、部分的に断面図にしている。図３（ｂ）は光プラグ１の正面図である。
【００５６】
図３の実施形態において、符号１１は角型のケーブルサポートスリーブであり、ケーブルサポートスリーブ１１は開口部２０（図１参照）に挿入される突出部１２を部分的に保持するとともに、光ファイバ１Ａを後部に延出している。このケーブルサポートスリーブ１１が把持されて光プラグ１は光リセプタクル１００に装着される。
【００５７】
突出部１２は、四角柱の下側２隅が斜面１２２及び１２３となって面取りされた六角柱状に突出しており、突出部１２の全てが開口部２０（図１参照）に挿入される。突出部１２はその中心部に光ファイバ１Ａを保持している円柱状のフェルール１３を突出しており、フェルール１３の周囲は凹部１４が形成されている。また、後述する円形の光導入路２０Ａへの挿入が容易となるための面取り１３１がフェルール１３の先端に施されている。
【００５８】
突出部１２は、左右側面に相反するように一対の柱状の円弧突起１２Ａ及び１２Ｂが形成されている。この円弧突起１２Ａ及び１２Ｂが、ソケットハウジング２の開口部２０に形成されている後述する一対の円弧溝２２Ａ及び２２Ｂで案内されると共に規制されて、光ファイバ１Ａの光軸と光学素子６の光軸を一致させる。
【００５９】
また、突出部１２は、上下側面に相反するように一対の山脈状のディテント１２Ｃ及び１２Ｄが形成されている。上側のディテント１２Ｃは、後述するシャッター３の前面に形成されているインデント３１に噛み合うものである。下側のディテント１２Ｄは、後述するソケットハウジング２の開口部２０の下面に形成されている矩形状のインデント２３に噛み合うものである。
【００６０】
次に、ソケットハウジング２の構成を図４により説明する。図４（ａ）はソケットハウジング２の正面図、図４（ｂ）は図４（ａ）の右面図、図４（ｃ）は図４（ａ）のＸ−Ｘ断面図、図４（ｄ）は図４（ａ）の背面図である。
【００６１】
図４の実施形態に示されるように、ソケットハウジング２は正面視が台形状であり、側面視が概矩形状の概直方体に形成されている。ソケットハウジング２の正面下部には、光プラグ１の突出部１２（図３参照）と嵌合する開口部２０が形成されている。
【００６２】
開口部２０の奥行き壁には、円形の光導入路２０Ａが形成されており、光導入路２０Ａの奥側には素子取り付け溝２０Ｂが形成されている。この素子取り付け溝２０Ｂに光学素子６（図２参照）のモールド部６０が取り付けられ、光導入路２０Ａに前述のフェルール１３（図３参照）が挿入されることにより、光学素子６と光ファイバ１Ａ（図３参照）の光軸が一致する。
【００６３】
開口部２０はその正面開口形状が、図３で示された突出部１２にみ合った六角形状に形成されており、突出部１２に形成されている斜面１２２及び１２３は、開口部２０の開口面に形成されている斜面２２２及び２２３にそれぞれ対応している。
【００６４】
また、開口部２０内部の左右壁は開口面から一対の円弧溝２２Ａ及び２２Ｂが形成されている。円弧溝２２Ａ及び２２Ｂは、前述したように光プラグ１（図３参照）に形成されている円弧突起１２Ａ及び１２Ｂを案内すると共に規制するものであり、光導入路２０Ａへのフェルール１３（図３参照）の挿入を確実にするものである。
【００６５】
一方、開口部２０内の下壁には矩形状のインデント２３が形成されている。光プラグ１（図３参照）の突出部１２に形成されているディテント１２Ｃ及び１２Ｄは僅かな弾力をもって、開口部２０の前面から挿入され、下側のディテント１２Ｄがインデント２３に陥没するように噛み合うことにより、光プラグ１の奥行き方向の位置合わせができる。
【００６６】
開口部２０が形成される矩形枠体２１は、ソケットハウジング２の前面に突出している。光リセプタクル１００を取り付けるパネルには、矩形枠体２１にみ合った角穴があけられ、当該矩形枠体２１が表出される。
【００６７】
開口部２０の上面であって開口部２０の前面の裏側には、シャッター３の縁部に有する一対の回転軸３Ａ及び３Ｂ（図１参照）が回転自在に配置されるための一対の溝２２Ｃ及び２２Ｄが相反するように形成されている。
【００６８】
また、一対の溝２２Ｃ及び２２Ｄは、カバーハウジング５（図１参照）の横設片５１が挿入されて嵌合する収容部２５と連通している。一対の溝２２Ｃ及び２２Ｄに連通する収容部２５は、一対の溝２２Ｃ及び２２Ｄ内に前記一対の回転軸３Ａ及び３Ｂ（図１参照）を配置することを、又は組み立てることを容易にしている。
【００６９】
図４（ｄ）に示されるように、収容部２５の上面には爪２５Ａが形成されている。収容部２５の下方には素子取り付け溝２０Ｂを挟むように対向する一対の爪２５Ｂ及び２５Ｃが形成されている。これら爪２５Ａ〜２５Ｃは、後述するカバーハウジング５に形成されるラッチ５５Ａ〜５５Ｃに噛み合うものである。
【００７０】
また、図４（ａ）に示されるように開口部２０の上部には、この光リセプタクル１００をパネルにねじ止めするための固定穴２４が形成されている。ソケットハウジング２の底面には、この光リセプタクル１００に取り付けられる図示されないプリント基板を実装するためのすり割ピン２６が３本突出している。
【００７１】
次に、カバーハウジング５の構成を図５により説明する。図５（ａ）はカバーハウジング５の平面図、図５（ｂ）はカバーハウジング５の正面図、図５（ｃ）は図５（ｂ）の右面図、図５（ｄ）は図５（ｂ）の左側面図、図５（ｅ）は図５（ｂ）の底面図、図５（ｆ）は図５（ａ）のＸ−Ｘ断面図である。
【００７２】
図５（ｂ）に示されるように、カバーハウジング５は横設片５１と垂設片５２でＬ字状に構成されている。横設片５１の端部には四角柱状の一対の延出部５Ａ及び５Ｂが形成されている。
【００７３】
横設片５１は、図４に示された収容部２５に挿入される。収容部２５に横設片５１が挿入された状態では、シャッター３の回転軸３Ａ及び３Ｂ（図１参照）は、一対の溝２２Ｃ及び２２Ｄと一対の延出部５Ａ及び５Ｂ端面で図２に示されるように回転自在に保持される。
【００７４】
図５の実施形態では、横設片５１の下面は凹部５０が形成されている。凹部５０は、図２に示されるように開口部２０と空間が連通しており、この凹部５０はシャッター３を格納する収容空間であり、ねじりコイルばね４（図１参照）を格納する収容空間でもある。
【００７５】
また、図５（ｄ）に示されるように、垂設片５２の内壁には筋状の凸部５４が形成されている。図４に示される素子取り付け溝２０Ｂの下方に形成される背面壁２７と凸部５４とで、光学素子６のリード６１（図１参照）を挟持する。
【００７６】
図５の実施形態においては、横設片５１の上面に三角形状のラッチ５５Ａを突出している。垂設片５２の左右側面には相反するように三角形状のラッチ５５Ｂ及び５５Ｃを突出している。
【００７７】
これらラッチ５５Ａ〜５５Ｃは、前述したように爪２５Ａ〜２５Ｃ（図４参照）と噛み合って、ソケットハウジング２にカバーハウジング５をロックするものである。
【００７８】
次に、本発明の作用を図面を用いて説明する。図６は、本発明による光リセプタクル１００の構成を示す斜視分解組立図である。
【００７９】
図６の実施形態において、シャッター３は回転軸３Ａ及び３Ｂが分断しており、その端部に切り欠き溝３２が形成されている。この切り欠き溝３２は、回転軸３Ａ及び３Ｂの回転を妨げず、かつ、開口部２０が形成される矩形枠体２１の上下幅Ｗを極力小さくするために設けられたものである。
【００８０】
このような切り欠き溝３２付きシャッター３が、開口部２０の前面を内側から閉じている。そして、切り欠き溝３２から塵芥が侵入するのを防ぐため、開口部２０の前面上部には切り欠き溝３２にみ合った凸部２２４が形成されている。
【００８１】
図６において、シャッター３は前面に矩形状のインデント３１が形成されている。開口部２０の前面から光プラグ１（図３参照）の突出部１２が挿入され、上側のディテント１２Ｃがインデント３１に突出するように噛み合うことにより、光プラグ１の奥行き方向の位置合わせができる。
【００８２】
シャッター３における閉鎖部３３の板厚は、回転軸３Ａ及び３Ｂの直径に概等しく、シャッター３の前面は閉鎖部３３が開口部２０の前面に突出するように六角形に形成されている。シャッター３の裏面視は矩形状に形成されており、シャッター３の下部の２隅は三角形状の薄板フランジ３３Ａ及び３３Ｂに形成されている。
【００８３】
一方、開口部２０においては、前面は斜面２２２及び２２３が形成されているが、開口部２０の前面から一定の奥行きでは開口部２０の横断面は、シャッター３の裏面視にみ合った矩形状に形成されている。
【００８４】
つまり、図２に示されるように、ねじりコイルばね４はシャッター３が開口部２０を閉じる力（シャッター３が開口部２０から飛び出す力）を付勢しているが、段差になった斜面２２２及び２２３が薄板フランジ３３Ａ及び３３Ｂに当接して、シャッター３は回転を停止させられている。すなわち、シャッター３は図２の状態以上に時計方向に回転しない。
【００８５】
このような構成の光リセプタクル１００にあっては、開口部２０が形成される矩形枠体２１の上下幅Ｗを従来と比較して小さくすることが可能になった。従来の矩形枠体２１の上下幅Ｗが９．９〜１０．０ｍｍであったのに対し、本発明では８．２ｍｍとすることができた。
【００８６】
次に、図６に示される光リセプタクル１００の組み立て順序を説明する。
【００８７】
ねじりコイルばね４は、カバーハウジング５の横設片５１に予め取り付けられている。まず、シャッター３の閉鎖部３３が開口部２０の前面を閉鎖するように、シャッター３がソケットハウジング２に組み込まれる。
【００８８】
次に、光学素子６がソケットハウジング２の背面から装着される。次に、ねじりコイルばね４付きカバーハウジング５をソケットハウジング２の背面から挿入すると、図２に示されるような組み立て状態となる。
【００８９】
図７は組み立てられた光リセプタクル１００を背面からみた斜視図である。図７において、ソケットハウジング２の背面はカバーハウジング５で密閉されるように覆われている。
【００９０】
図７において、爪２５Ａ〜２５Ｃを工具で広げることにより、カバーハウジング５をソケットハウジング２から引き出すことができ、図６の分解状態に戻ることができる。
【００９１】
【発明の効果】
本発明によれば、光リセプタクルはソケットハウジングと、シャッターと、カバーハウジングと、ねじりコイルばねで構成されている。ソケットハウジングは光プラグと嵌合する開口部が形成されており、一対の回転軸を縁部に有するシャッターは、開口部を開閉するように回転軸が回転自在にソケットハウジング内に配置されている。ねじりコイルばねを回転自在に保持しているカバーハウジングは、ソケットハウジングに嵌合される。光リセプタクルはシャッターの回転軸を回転自在に保持しており、前記ねじりコイルばねはシャッターが前記開口部を閉じる方向に力を付勢している。
【００９２】
このような光リセプタクルは、従来に比較して簡易な構成であり、組み立て容易であり、パネルへの表出面積を小さくすることができる。
【図面の簡単な説明】
【図１】本発明における一実施の形態による光リセプタクルの構成を示す斜視分解組立図である。
【図２】本発明における光リセプタクルの組立図である。
【図３】本発明における光リセプタクルに接続される光プラグの実施の形態を説明する図である。
【図４】本発明におけるソケットハウジングの構成図である。
【図５】本発明におけるカバーハウジングの構成図である。
【図６】本発明における光リセプタクルの構成を示す斜視分解組立図である。
【図７】本発明における組み立てられた光リセプタクルを背面からみた斜視図である。
【符号の説明】
１  光プラグ
１Ａ  光ファイバ
２  ソケットハウジング
３  シャッター
３Ａ・３Ｂ  回転軸
４  ねじりコイルばね
５  カバーハウジング
５Ａ・５Ｂ  延出部
５Ｃ・５Ｄ  突起
６  光学素子
１１  ケーブルサポートスリーブ
１２  突出部
１２Ａ・１２Ｂ  円弧突起
１２Ｃ・１２Ｄ  ディテント
１３  フェルール
１４  凹部
２０  開口部
２０Ａ  光導入路
２０Ｂ  素子取り付け溝
２１  矩形枠体
２２Ａ・２２Ｂ  円弧溝
２２Ｃ・２２Ｄ  溝
２３・３１  インデント
２４  固定穴
２５  収容部
２５Ａ・２５Ｂ・２５Ｃ  爪
２６  すり割ピン
２７  背面壁
３２  切り欠き溝
３３Ａ・３３Ｂ  薄板フランジ
３３  閉鎖部
４１  コイル
４２・４３  腕
５０  凹部
５１  横設片
５２  垂設片
５４  凸部
５５Ａ・５５Ｂ・５５Ｃ  ラッチ
６０  モールド部
６１  リード
１００  光リセプタクル
１２２・１２３  斜面
２２２・２２３  斜面
２２４  凸部
【図１】
2004354672.tif 000003
【図２】
2004354672.tif 000004
【図３】
2004354672.tif 000005
【図４】
2004354672.tif 000006
【図５】
2004354672.tif 000007
【図６】
2004354672.tif 000008
【図７】
2004354672.tif 000009